(57)【要約】【課題】小型化が可能な電池パック、無線電力伝送システムおよび補聴器を提供すること。【解決手段】電池パック１は、上側に配置される電池負極端子６と、下側に配置される電池正極端子７とを有する二次電池２と、コイル部材８と、電池負極端子６、電池正極端子７およびコイル部材８と電気的に接続される回路基板９と、二次電池２、コイル部材８および回路基板９を収容する筐体５とを備え、電池負極端子６は、筐体５から露出している。【選択図】図１
2018174123.tif 000002
【特許請求の範囲】
【請求項１】
厚み方向一方側に配置される電池負極端子と、厚み方向他方側に配置される電池正極端子とを有する二次電池と、
コイル部材と、
前記電池負極端子、前記電池正極端子および前記コイル部材と電気的に接続される回路基板と、
前記二次電池、前記コイル部材および前記回路基板を収容する筐体と
を備え、
前記電池負極端子は、前記筐体から露出していることを特徴とする、電池パック。
【請求項２】
前記コイル部材が、絶縁層と、前記絶縁層の少なくともいずれか一方の表面に配置されるコイル状の配線とを備えるシートコイルであることを特徴とする、請求項１に記載の電池パック。
【請求項３】
前記回路基板が、制御素子を備えるフレキシブル配線回路基板であることを特徴とする、請求項１または２に記載の電池パック。
【請求項４】
前記コイル部材と前記回路基板との間に配置される磁性シートをさらに備えることを特徴とする、請求項１〜３のいずれか一項に記載の電池パック。
【請求項５】
前記筐体が、前記二次電池の厚み方向一方側に、前記電池負極端子を露出するための第１開口部を有することを特徴とする、請求項１〜４のいずれか一項に記載の電池パック。
【請求項６】
前記回路基板が、
前記電池正極端子と電気的に接続される第１回路端子と、
前記電池負極端子と電気的に接続される第２回路端子と
をさらに備えることを特徴とする、請求項１〜５のいずれか一項に記載の電池パック。
【請求項７】
前記筐体が、前記二次電池の厚み方向一方側に、前記第２回路端子を収容するための第２開口部を有することを特徴とする、請求項６に記載の電池パック。
【請求項８】
請求項１〜７のいずれか一項に記載の電池パックと、
送電コイルを備える送電装置と
を備えることを特徴とする、無線電力伝送システム。
【請求項９】
前記送電装置が、１ＭＨｚ以上１０ＭＨｚ以下の周波数の電力を伝送することを特徴とする、請求項８に記載の無線電力伝送システム。
【請求項１０】
請求項１〜７のいずれか一項に記載の電池パックと、
前記電池パックを収容する収容部を有する補聴器筐体と、
前記補聴器筐体の内部に設けられるマイク手段、増幅手段およびスピーカー部と
を備えることを特徴とする、補聴器。
【請求項１１】
前記収容部は、一次電池も収容可能とする、請求項１０に記載の補聴器。
【発明の詳細な説明】
【技術分野】
【０００１】
本発明は、電池パック、ならびに、その電池パックを備える無線電力伝送システムおよび補聴器に関する。
【背景技術】
【０００２】
従来から、無線で充電可能な二次電池ユニットが知られている。このような二次電池ユニットは、電子機器に装着した状態で、対応する充電器を用いて無線で充電できるため、利便性が高い。
【０００３】
このような二次電池ユニットとしては、例えば、特許文献１に開示されている。特許文献１に記載の電池ユニットは、二次電池と、外部から供給される電力を受電する受電コイルと、受電した電力を用いて二次電池の充電を行う回路基板と、二次電池、受電コイルおよび回路基板を収容するケースと、二次電池の正極に相当する位置に設けられる正極出力端子と、二次電池の負極に相当する位置に設けられる負極出力端子とを備える。
【先行技術文献】
【特許文献】
【０００４】
【特許文献１】特開２０１５−８８３７６号公報
【発明の概要】
【発明が解決しようとする課題】
【０００５】
ところで、電池ユニットは、補聴器などの小型機器に装着することが検討されているため、電池ユニットの小型化が求められている。
【０００６】
しかし、特許文献１の電池ユニットは、一次電池の正極側に設けられる正極出力端子と、一次電池の負極側に設けられる負極出力端子とを備える。すなわち、正極出力端子および負極出力端子が電池ユニットの厚み方向の一方側とその反対側に設けられている。そのため、電池ユニットは、二次電池、受電コイルおよびケースに加えて、さらに２つの端子分の厚みを有している。したがって、さらなる小型化が必要である。
【０００７】
本発明は、小型化が可能な電池パック、無線電力伝送システムおよび補聴器を提供することにある。
【課題を解決するための手段】
【０００８】
本発明［１］は、厚み方向一方側に配置される電池負極端子と、厚み方向他方側に配置される電池正極端子とを有する二次電池と、コイル部材と、前記電池負極端子、前記電池正極端子および前記コイル部材と電気的に接続される回路基板と、前記二次電池、前記コイル部材および前記回路基板を収容する筐体とを備え、前記電池負極端子は、前記筐体から露出している、電池パックを含んでいる。
【０００９】
この電池パックによれば、電池負極端子が筐体から露出しているため、外部電子機器を電池パックに装着する際に、外部電子機器の負極端子を電池パック内の電池負極端子に直接接触することができる。これにより、これらを電気的に接続して、外部電子機器を駆動することができる。したがって、電池パックは、外部電子機器の負極端子に接触させる端子を別個に設ける必要がないため、小型化が可能である。
【００１０】
本発明［２］は、前記コイル部材が、絶縁層と、前記絶縁層の少なくともいずれか一方の表面に配置されるコイル状の配線とを備えるシートコイルである、［１］に記載の電池パックを含んでいる。
【００１１】
この電池パックによれば、コイル部材がシートコイルであるため、銅線を巻いた巻きコイルよりも、厚み方向において薄型化されている。そのため、より一層の小型化が可能である。
【００１２】
本発明［３］は、前記回路基板が、制御素子を備えるフレキシブル配線回路基板である、［１］または［２］に記載の電池パックを含んでいる。
【００１３】
この電池パックによれば、回路基板が、フレキシブル配線回路基板であるため、可撓性を有する。そのため、回路基板を、筐体や二次電池の形状に合わせて筐体内に自由に配置でき、筐体内のスペースを有効利用できる。したがって、より一層の小型化が可能である。
【００１４】
本発明［４］は、前記コイル部材と前記回路基板との間に配置される磁性シートをさらに備える、［１］〜［３］のいずれか一項に記載の電池パックを含んでいる。
【００１５】
この電池パックによれば、磁性シートを備えているため、コイル部材が外部から電力を受ける際に、その電力をコイル部材に収束させることができる。そのため、電力受電効率を向上させることができる。
【００１６】
本発明［５］は、前記筐体が、前記二次電池の厚み方向一方側に、前記電池負極端子を露出するための第１開口部を有する、［１］〜［４］のいずれか一項に記載の電池パックを含んでいる。
【００１７】
この電池パックによれば、第１開口部内で、外部電子機器の負極端子を電池負極端子に確実に接触させることができる。
【００１８】
本発明［６］は、前記回路基板が、前記電池正極端子と電気的に接続される第１回路端子と、前記電池負極端子と電気的に接続される第２回路端子とをさらに備える、［１］〜［５］のいずれか一項に記載の電池パックを含んでいる。
【００１９】
この電池パックによれば、電池正極端子に接続される第１回路端子と、電池負極端子に接続される第２回路端子とを備えているため、第１回路端子および第２回路端子を介して、二次電池を確実に充電することができる。
【００２０】
本発明［７］は、前記筐体が、前記二次電池の厚み方向一方側に、前記第２回路端子を収容するための第２開口部を有する、［６］に記載の電池パックを含んでいる。
【００２１】
この電池パックによれば、筐体の第２開口部内に、第２回路端子が収容されているため、筐体の厚み方向一方側に第２回路端子を設ける必要がない。そのため、より一層の薄型化が可能である。
【００２２】
本発明［８］は、［１］〜［７］のいずれか一項に記載の電池パックと、送電コイルを備える送電装置とを備える、無線電力伝送システムを含んでいる。
【００２３】
この無線電力伝送システムによれば、送電装置を駆動することにより、電池パックの二次電池に無線で電力を伝送することができるため、二次電池の無線充電が可能となる。
【００２４】
本発明［９］は、前記送電装置が、１ＭＨｚ以上１０ＭＨｚ以下の周波数の電力を伝送する、［８］に記載の無線電力伝送システムを含んでいる。
【００２５】
この無線電力伝送システムによれば、電池パックが、１ＭＨｚ以上１０ＭＨｚ以下の高周波の電力で受電することができる。そのため、二次電池を高効率で充電することができる。
【００２６】
本発明［１０］は、［１］〜［７］のいずれか一項に記載の電池パックと、前記電池パックを収容する収容部を有する補聴器筐体と、前記補聴器筐体の内部に設けられるマイク手段、増幅手段およびスピーカー部とを備える、補聴器を含んでいる。
【００２７】
この補聴器によれば、収容部の小型化が可能であるため、補聴器の小型化が可能である。
【００２８】
本発明［１１］は、前記収容部は、一次電池も収容可能とする、［１０］に記載の補聴器を含んでいる。
【００２９】
この補聴器によれば、一次電池および二次電池のどちらを用いても駆動することができるため、利便性に優れる。  
【発明の効果】
【００３０】
本発明の電池パック、無線電力伝送システムおよび補聴器は、小型化が可能である。
【図面の簡単な説明】
【００３１】
【図１】図１は、本発明の電池パックの一実施形態の斜視図を示す。
【図２】図２Ａ−Ｂは、図１に示す電池パックに用いるコイル付き基板の展開図を示し、  図２Ａは、平面図、図２Ｂは、底面図を示す。
【図３】図３は、図２Ａに示すコイル付き基板のＡ−Ａ側断面図を示す。
【図４】図４は、図１に示す電池パックに用いる筐体を示し、図４Ａは、平面図、図４Ｂは、側面図、図４Ｃは、底面図を示す。
【図５】図５は、図１に示す電池パックの分解斜視図を示す。
【図６】図６Ａ−Ｂは、図１に示す電池パックを示し、図６Ａは、平面図、図６Ｂは、底面図を示す。
【図７】図７Ａ−Ｂは、図６Ａに示す電池パックを示し、図７Ａは、Ａ−Ａ側断面図、図７Ｂは、Ｂ−Ｂ側断面図を示す。
【図８】図８Ａ−Ｂは、図１に示す第１ジョイントベース部の第１折返し部の拡大図を示し、図８Ａは、前後方向側断面図、図８Ｂは、左右方向側断面図を示す。
【図９】図９は、本発明の無線電力伝送システムの一実施形態のブロック図を示す。
【図１０】図１０は、本発明の補聴器の一実施形態の分解斜視図を示し、図１０Ａは、開状態、図１０Ｂは、閉状態を示す。
【図１１】図１１Ａ−Ｂは、二次電池が、タブ付き電池である実施形態を示し、図１１Ａは、上側から視認した斜視図、図１１Ｂは、下側から視認した斜視図を示す。
【図１２】図１２は、図１１Ａの二次電池を用いた電池パックの分解斜視図を示す。
【図１３】図１３は、図１２に示す電池パックの平面図を示す。
【発明を実施するための形態】
【００３２】
本発明の一実施形態について、図を参照しながら以下に説明する。図３において、紙面上下方向は、上下方向（厚み方向、第１方向）であって、紙面上側が、上側（厚み方向一方側、第１方向一方側）、紙面下側が、下側（厚み方向他方側、第１方向他方側）である。また、図３において、紙面左右方向は、左右方向（第１方向に直交する第２方向）であり、紙面左側が左側（第２方向一方側）、紙面右側が右側（第２方向他方側）である。また、図３において、紙厚方向は、前後方向（第１方向および第２方向に直交する第３方向）であり、紙面手前側が前側（第３方向一方側）、紙面奥側が後側（第３方向他方側）である。具体的には、各図の方向矢印に準拠する。なお、図１において、筐体は、透明としている。図２Ａおよび図２Ｂにおいて、第１カバー絶縁層、第２カバー絶縁層および第３カバー絶縁層は、省略している。
【００３３】
＜電池パック＞
図１Ａ〜図８Ｂを参照して、本発明の電池パックの一実施形態を説明する。図１および図５に示すように、電池パック１は、二次電池２、コイル付き基板３、磁性シート４、および、筐体５を備えている。以下、これらの部材を説明する。
【００３４】
（二次電池）
図５に示すように、二次電池２は、充放電可能な電池であり、略円柱形状（特に、ボタン型形状）を有している。二次電池２は、その上部が、下部よりもわずかに縮径するように上下方向途中に段差を有している。
【００３５】
二次電池２は、電池負極端子６および電池正極端子７を備えている。
【００３６】
電池負極端子６は、二次電池２の上側に配置されている。具体的には、電池負極端子６は、二次電池２の上面、および、上部の周側面に形成されている。
【００３７】
電池正極端子７は、二次電池２の下側に配置されている。具体的には、電池正極端子７は、二次電池２の下面、および、下部の周側面に形成されている。
【００３８】
二次電池２としては、具体的には、リチウムイオン二次電池、ニッケル水素二次電池、銀亜鉛二次電池など挙げられる。
【００３９】
（コイル付き基板）
図２Ａおよび図２Ｂ（展開図）に示すように、コイル付き基板３は、コイル部材８および回路基板９を一体的に備えている。
【００４０】
コイル部材８は、シートコイルであって、後述する送電装置によって送電される電力を受電する受電コイルであり、具体的には、後述する送電コイルから発生する磁界によって発電可能な受電コイルである。
【００４１】
コイル部材８は、図３に示すように、絶縁層としての第１ベース絶縁層１０と、第１コイルパターン１１と、第２コイルパターン１２と、第１コイルカバー絶縁層１３と、第２コイルカバー絶縁層１４とを備えている。
【００４２】
第１ベース絶縁層１０は、図２Ａ〜図３に示すように、コイル部材８の外形形状をなし、平面視略円形状を有している。
【００４３】
第１ベース絶縁層１０の平面視略中央には、上下方向（厚み方向）に貫通するビア開口部１５が形成されている。ビア開口部１５には、金属導通部からなるコイルビア部１６が配置されている。コイルビア部１６は、第１ベース絶縁層１０の上面および下面から露出している。コイルビア部１６は、第１コイルパターン１１および第２コイルパターン１２と一体的に形成されており、これらを電気的に接続する。
【００４４】
第１ベース絶縁層１０は、例えば、ポリイミド樹脂、ポリアミドイミド樹脂、アクリル樹脂、ポリエーテルニトリル樹脂、ポリエーテルスルホン樹脂、ポリエチレンテレフタレート樹脂、ポリエチレンナフタレート樹脂、ポリ塩化ビニル樹脂などの合成樹脂などの絶縁材料から形成されている。好ましくは、ポリイミド樹脂から形成されている。
【００４５】
第１ベース絶縁層１０の厚みは、例えば、１μｍ以上、好ましくは、５μｍ以上であり、また、例えば、１００μｍ以下、好ましくは、６０μｍ以下である。
【００４６】
第１コイルパターン１１は、第１ベース絶縁層１０の上面（上側の表面）に配置されている。具体的には、第１コイルパターン１１は、第１コイルパターン１１の下面が第１ベース絶縁層１０の上面に接触するように、第１ベース絶縁層１０の上側に配置されている。第１コイルパターン１１は、配線１７からなるコイル状の配線パターンである。
【００４７】
第１コイルパターン１１は、図２Ａに示すように、平面視において、コイルビア部１６から径方向外側に向かう渦巻き状に形成されている。第１コイルパターン１１は、第３ジョイントベース部３５付近の外周端に至るまで渦巻き状に形成され、第３ジョイントベース部３５付近の外周端においては、外側（左側）に向かう直線状に形成されている。
【００４８】
第１コイルパターン１１を構成する配線１７の径方向に沿う断面視形状は、図３に示すように、略矩形状に形成されている。
【００４９】
第２コイルパターン１２は、第１ベース絶縁層１０の下面（下側の表面）に配置されている。具体的には、第２コイルパターン１２は、第２コイルパターン１２の上面が第１ベース絶縁層１０の下面に接触するように、第１ベース絶縁層１０の下側に配置されている。第２コイルパターン１２は、配線１７からなるコイル状の配線パターンである。
【００５０】
第２コイルパターン１２は、図２Ｂに示すように、底面視において、コイルビア部１６から径方向外側に向かう渦巻き状に形成されている。第２コイルパターン１２は、第３ジョイントベース部３５付近の外周端に至るまで渦巻き状に形成され、第３ジョイントベース部３５付近の外周端においては、外側（左側）に向かう直線状に形成されている。
【００５１】
第２コイルパターン１２を構成する配線１７の径方向に沿う断面視形状は、略矩形状に形成されている。
【００５２】
配線１７を構成する材料としては、例えば、銅、銀、金、ニッケル、はんだまたはこれらの合金などの導電性金属などが挙げられる。好ましくは、銅が挙げられる。
【００５３】
第２コイルパターン１２の中間部における底面視形状（渦巻き形状パターン）は、第１コイルパターン１１の中間部における平面視形状と略同一である。すなわち、第２コイルパターン１２の配線１７の幅Ｌおよび配線１７同士の間隔Ｓは、それぞれ、第１コイルパターン１１の配線１７の幅Ｌおよび間隔Ｓと略同一であり、第２コイルパターン１２の巻き数は、第１コイルパターン１１の巻き数と同数である。
【００５４】
第１コイルパターン１１および第２コイルパターン１２のそれぞれにおいて、配線１７の幅Ｌ（配線１７の径方向長さ）は、例えば、５μｍ以上、好ましくは、２０μｍ以上であり、また、例えば、４００μｍ以下、好ましくは、２００μｍ以下である。
【００５５】
第１コイルパターン１１および第２コイルパターン１２のそれぞれにおいて、配線１７の厚みＴは、例えば、３μｍ以上、好ましくは、１０μｍ以上であり、また、例えば、２００μｍ以下、好ましくは、１００μｍ以下である。
【００５６】
第１コイルパターン１１および第２コイルパターン１２のそれぞれにおいて、配線１７間の間隔Ｓ（互いに隣接する配線１７間の径方向距離）は、例えば、５μｍ以上、好ましくは、２０μｍ以上であり、また、例えば、４００μｍ以下、好ましくは、２００μｍ以下である。
【００５７】
第１コイルパターン１１および第２コイルパターン１２のそれぞれにおいて、コイルの巻き数は、例えば、１以上、好ましくは、３以上であり、また、例えば、５００以下、好ましくは、３００以下である。
【００５８】
第１コイルカバー絶縁層１３は、第１コイルパターン１１の上面に配置されている。具体的には、第１コイルカバー絶縁層１３は、第１コイルパターン１１の上面および側面、ならびに、第１コイルパターン１１から露出する第１ベース絶縁層１０の上面を被覆するように、第１コイルパターン１１および第１ベース絶縁層１０の上側に配置されている。
【００５９】
第１コイルカバー絶縁層１３は、平面視略円形状を有している。上下方向に投影したときに、第１コイルカバー絶縁層１３は、第１コイルパターン１１を含んでおり、また、第１コイルカバー絶縁層１３は、第１ベース絶縁層１０に含まれる。
【００６０】
第２コイルカバー絶縁層１４は、第２コイルパターン１２の下面に配置されている。具体的には、第２コイルカバー絶縁層１４は、第２コイルパターン１２の下面および側面、ならびに、第２コイルパターン１２から露出する第１ベース絶縁層１０の下面を被覆するように、第２コイルパターン１２および第１ベース絶縁層１０の下側に配置されている。
【００６１】
第２コイルカバー絶縁層１４は、平面視略円形状を有している。上下方向に投影したときに、第２コイルカバー絶縁層１４は、第２コイルパターン１２を含んでおり、また、第２コイルカバー絶縁層１４は、第１ベース絶縁層１０に含まれる。
【００６２】
第１コイルカバー絶縁層１３および第２コイルカバー絶縁層１４は、第１ベース絶縁層１０で上記した絶縁材料と同様の材料から形成されており、好ましくは、ポリイミド樹脂から形成されている。
【００６３】
第１コイルカバー絶縁層１３および第２コイルカバー絶縁層１４の厚みは、それぞれ、例えば、２μｍ以上、好ましくは、５μｍ以上であり、また、例えば、７０μｍ以下、好ましくは、６０μｍ以下である。
【００６４】
回路基板９は、可撓性を有するフレキシブル配線回路基板であって、コイル部材８の左側に、コイル部材８と連続するように配置されている。
【００６５】
回路基板９は、図２Ａ、図２Ｂおよび図８Ａに示すように、第２ベース絶縁層２０と、制御素子２１と、第１回路端子としての電池側回路正極端子２２と、外部側回路正極端子２３と、第２回路端子としての充電用回路負極端子２４と、接続配線パターン２５と、第３カバー絶縁層２６とを備えている。
【００６６】
第２ベース絶縁層２０は、制御回路ベース部３０、負極端子ベース部３１、正極端子ベース部３２、第１ジョイントベース部３３、第２ジョイントベース部３４、および、第３ジョイントベース部３５を備えている。
【００６７】
制御回路ベース部３０は、制御素子２１（後述）を搭載するためのベース絶縁部であって、回路基板９の平面視略中央に配置されている。制御回路ベース部３０は、平面視略円形状を有しており、第１ベース絶縁層１０よりもわずかに小さくなるように形成されている。
【００６８】
制御回路ベース部３０には、接続配線パターン２５（後述する第１〜第１０接続配線５０〜５９）と、制御素子２１（後述する整流器４７、充電制御器４８、変圧器４９）とを電気的に接続するためのベースビア部（第１〜第１０ビア部３６〜４５）が複数形成されている。具体的には、整流器４７および第１接続配線５０を上下方向に接続するための第１ビア部３６と、整流器４７および第２接続配線５１を上下方向に接続するための第２ビア部３７と、整流器４７および第３接続配線５２を上下方向に接続するための第３ビア部３８と、整流器４７および第５接続配線５４を上下方向に接続するための第４ビア部３９と、充電制御器４８および第３接続配線５２を上下方向に接続するための第５ビア部４０と、充電制御器４８および第４接続配線５３を上下方向に接続するための第６ビア部４１と、充電制御器４８および第９接続配線５８を上下方向に接続するための第７ビア部４２と、変圧器４９および第６接続配線５５を上下方向に接続するための第８ビア部４３と、変圧器４９および第７接続配線５６を上下方向に接続するための第９ビア部４４と、変圧器４９および第１０接続配線５９を上下方向に接続するための第１０ビア部４５とが形成されている。なお、各ベースビア部３６〜４５では、第２ベース絶縁層２０に上下方向に貫通するビア開口部が形成されており、そのビア開口部に金属導通部が配置されている。
【００６９】
負極端子ベース部３１は、充電用回路負極端子２４を配置するためのベース絶縁部であって、制御回路ベース部３０の前側に間隔を隔てて配置されている。負極端子ベース部３１は、平面視略円形状を有し、制御回路ベース部３０よりも小さくなるように形成されている。
【００７０】
正極端子ベース部３２は、外部側回路正極端子２３を配置するためのベース絶縁部であって、制御回路ベース部３０の後側に間隔を隔てて配置されている。正極端子ベース部３２は、平面視略円形状を有しており、第１ベース絶縁層１０と略同一形状となるように形成されている。
【００７１】
第１ジョイントベース部３３は、制御回路ベース部３０と負極端子ベース部３１とを連結するためのベース絶縁部であり、制御回路ベース部３０の前側に配置されている。具体的には、第１ジョイントベース部３３は、その前端が負極端子ベース部３１と一体的に連続し、その後端が制御回路ベース部３０と一体的に連続するように、これらの間に配置されている。第１ジョイントベース部３３は、前後方向に延びる平面視略矩形状に形成されている。
【００７２】
第１ジョイントベース部３３の前後方向途中には、複数（２つ）の第１折り曲げ部６０が前後方向に間隔を隔てて形成されている。第１折り曲げ部６０は、左端縁から右端縁にかけて、左右方向に直線状に延びている。第１折り曲げ部６０を上側に向かってそれぞれ直角に折り曲げ可能となっている。
【００７３】
２つの第１折り曲げ部６０のそれぞれには、複数（２つ）の第１折り曲げ固定部６１が設けられている。第１折り曲げ固定部６１は、平面視略矩形状に形成されている。第１折り曲げ固定部６１は、第１ジョイントベース部３３の上面の左端縁および右端縁のそれぞれにおいて、第１折り曲げ部６０を前後方向にまたがるように、配置されている。
【００７４】
第１折り曲げ固定部６１は、銅箔、ニッケル箔、銀箔、金箔、または、それらの合金箔などの金属箔から形成されている。好ましくは、銅箔が挙げられる。
【００７５】
第１折り曲げ固定部６１の厚みは、例えば、３μｍ以上、好ましくは、１０μｍ以上であり、また、例えば、２００μｍ以下、好ましくは、１００μｍ以下である。
【００７６】
第２ジョイントベース部３４は、制御回路ベース部３０と正極端子ベース部３２とを連結するためのベース絶縁部であり、制御回路ベース部３０の後側に配置されている。具体的には、第２ジョイントベース部３４は、その前端が制御回路ベース部３０と一体的に連続し、その後端が正極端子ベース部３２と一体的に連続するように、これらの間に配置されている。第２ジョイントベース部３４は、前後方向に延びる平面視略矩形状に形成されている。
【００７７】
第２ジョイントベース部３４の前後方向途中には、複数（２つ）の第２折り曲げ部６２が前後方向に間隔を隔てて形成されている。第２折り曲げ部６２は、左端縁から右端縁にかけて、左右方向に直線状に延びている。第２折り曲げ部６２は、下側に向かってそれぞれ直角に折り曲げ可能となっている。
【００７８】
２つの第２折り曲げ部６２のそれぞれには、複数の第２折り曲げ固定部６３が設けられている。第２折り曲げ固定部６３は、底面視略矩形状に形成されている。第２折り曲げ固定部６３は、第２ジョイントベース部３４の下面の左端縁および右端縁のそれぞれにおいて、第２折り曲げ部６２を前後方向にまたがるように、配置されている。
【００７９】
第２折り曲げ固定部６３の材料および厚みは、第１折り曲げ固定部６１の材料および厚みと同様である。
【００８０】
第３ジョイントベース部３５は、制御回路ベース部３０と第１ベース絶縁層１０とを連結するためのベース絶縁部であり、制御回路ベース部３０の右側に配置されている。具体的には、第３ジョイントベース部３５は、その左端が制御回路ベース部３０と一体的に連続し、その右端が第１ベース絶縁層１０と一体的に連続するように、これらの間に配置されている。第３ジョイントベース部３５は、左右方向に延びる平面視略矩形状に形成されている。
【００８１】
第３ジョイントベース部３５の左右方向途中には、複数（２つ）の第３折り曲げ部６４が左右方向に間隔を隔てて形成されている。第３折り曲げ部６４は、前端縁から後端縁にかけて、前後方向に直線状に延びている。第３折り曲げ部６４を下側に向かってそれぞれ直角に折り曲げ可能となっている。
【００８２】
２つの第３折り曲げ部６４のそれぞれには、複数（２つ）の第３折り曲げ固定部６５が設けられている。第３折り曲げ固定部６５は、底面視略矩形状に形成されている。第３折り曲げ固定部６５は、第３ジョイントベース部３５の下面の前端縁および後端縁のそれぞれにおいて、第３折り曲げ部６４を左右方向にまたがるように、配置されている。
【００８３】
第３折り曲げ固定部６５の材料および厚みは、第１折り曲げ固定部６１の材料および厚みと同様である。
【００８４】
第３ジョイントベース部３５には、第２接続配線５１および第８接続配線５７を上下方向に接続するための第１１ビア部４６が形成されている。第１１ビア部４６には、第２ベース絶縁層２０を上下方向に貫通するビア開口部が形成されており、そのビア開口部に金属導通部が充填されている。
【００８５】
電池側回路正極端子２２は、充電時においては、コイル部材８からの電流を、二次電池２の電池正極端子７に供給するための端子、かつ、放電時においては、電池正極端子７からの電流を、外部側回路正極端子２３を介して外部電子機器（例えば、後述する補聴器９０）の正極端子（例えば、後述する外部機器正極端子９７）に供給するための端子である。
【００８６】
電池側回路正極端子２２は、二次電池２の電池正極端子７と直接接触するように配置されている。具体的には、電池側回路正極端子２２は、制御回路ベース部３０の上面、および、左前部に配置されている。電池側回路正極端子２２は、平面視略円形状を有している。
【００８７】
外部側回路正極端子２３は、放電時において、二次電池２からの電流を外部電子機器の正極端子に供給するための端子である。
【００８８】
外部側回路正極端子２３は、外部電子機器の正極端子と直接接触するように配置されている。具体的には、外部側回路正極端子２３は、正極端子ベース部３２の上面、および、平面視略中央に配置されている。外部側回路正極端子２３は、平面視略円形状を有している。
【００８９】
充電用回路負極端子２４は、充電時に、コイル部材８からの電流を二次電池２の電池負極端子６に供給するための端子である。
【００９０】
充電用回路負極端子２４は、二次電池２の電池負極端子６と直接接触するように配置されている。具体的には、充電用回路負極端子２４は、負極端子ベース部３１の上面、および、平面視略中央に配置されている。充電用回路負極端子２４は、平面視略円形状を有している。
【００９１】
接続配線パターン２５は、各端子（２２、２３、２４）、各コイルパターン（１１、１２）および制御素子２１を電気的に接続する配線である。接続配線パターン２５は、第１接続配線５０、第２接続配線５１、第３接続配線５２、第４接続配線５３、第５接続配線５４、第６接続配線５５、第７接続配線５６、第８接続配線５７、第９接続配線５８、および、第１０接続配線５９を備えている。
【００９２】
第１接続配線５０は、第１コイルパターン１１と整流器４７とを電気的に接続する。すなわち、第１接続配線５０の一端は、第１コイルパターン１１に連結し、その他端は、第１ビア部３６に連結している。具体的には、第１接続配線５０は、第３ジョイントベース部３５の上面右端から制御回路ベース部３０の上面右端に至るように配置されている。
【００９３】
第２接続配線５１は、第８接続配線５７および第１１ビア部４６を介して、第２コイルパターン１２と整流器４７とを電気的に接続する。すなわち、第２接続配線５１の一端は、第２ビア部３７に連結し、その他端は、第１１ビア部４６に連結している。具体的には、第２接続配線５１は、第３ジョイントベース部３５の上面略中央から制御回路ベース部３０の上面右端に至るように、かつ、第１接続配線５０よりも前側に位置するように、配置されている。
【００９４】
第３接続配線５２は、整流器４７と充電制御器４８とを電気的に接続する。すなわち、第３接続配線５２の一端は、第３ビア部３８に連結し、その他端は、第５ビア部４０に連結している。具体的には、第３接続配線５２は、制御回路ベース部３０の上面略中央に配置されている。
【００９５】
第４接続配線５３は、充電制御器４８と電池側回路正極端子２２とを電気的に接続する。すなわち、第４接続配線５３の一端は、第６ビア部４１に連結し、その他端は、電池側回路正極端子２２に連結している。具体的には、第４接続配線５３は、制御回路ベース部３０の上面において、略中央から左前側まで配置されている。
【００９６】
第５接続配線５４は、整流器４７と充電用回路負極端子２４とを電気的に接続する。すなわち、第５接続配線５４の一端は、第４ビア部３９に連結し、その他端は、充電用回路負極端子２４に連結している。具体的には、第５接続配線５４は、制御回路ベース部３０の上面略中央から第１ジョイントベース部３３を経由して負極端子ベース部３１の上面略中央に至るように、配置されている。
【００９７】
第６接続配線５５は、電池側回路正極端子２２と変圧器４９とを電気的に接続する。すなわち、第６接続配線５５の一端は、電池側回路正極端子２２に連結し、その他端は、第８ビア部４３に連結している。具体的には、第６接続配線５５は、制御回路ベース部３０の上面左側に配置されている。
【００９８】
第７接続配線５６は、変圧器４９と外部側回路正極端子２３とを電気的に接続する。すなわち、第７接続配線５６の一端は、第９ビア部４４に連結し、その他端は、外部側回路正極端子２３に連結している。具体的には、第７接続配線５６は、制御回路ベース部３０の上面後端から第２ジョイントベース部３４を経由して正極端子ベース部３２の上面略中央に至るように、配置されている。
【００９９】
第８接続配線５７は、第２接続配線５１および第１１ビア部４６を介して、第２コイルパターン１２と整流器４７とを電気的に接続する。すなわち、第８接続配線５７の一端は、第２コイルパターン１２に連結し、その他端は、第１１ビア部４６に連結している。具体的には、第８接続配線５７は、第３ジョイントベース部３５の下面において、略中央から右端に至るように、配置されている。
【０１００】
第９接続配線５８は、充電制御器４８と充電用回路負極端子２４とを電気的に接続する。すなわち、第９接続配線５８の一端は、第７ビア部４２に連結し、その他端は、充電用回路負極端子２４に連結している。具体的には、第９接続配線５８は、制御回路ベース部３０の上面略中央から第１ジョイントベース部３３を経由して負極端子ベース部３１の上面略中央に至るように、配置されている。
【０１０１】
第１０接続配線５９は、変圧器４９と充電用回路負極端子２４とを電気的に接続する。すなわち、第１０接続配線５９の一端は、第１０ビア部４５に連結し、その他端は、充電用回路負極端子２４に連結している。具体的には、第１０接続配線５９は、制御回路ベース部３０の上面後端から第１ジョイントベース部３３を経由して負極端子ベース部３１の上面略中央に至るように、配置されている。
【０１０２】
接続配線パターン２５の材料としては、配線１７と同様の材料が挙げられる。好ましくは、銅が挙げられる。
【０１０３】
接続配線パターン２５の厚みは、例えば、３μｍ以上、好ましくは、１０μｍ以上であり、例えば、２００μｍ以下、好ましくは、１００μｍ以下である。
【０１０４】
制御素子２１は、充電時や放電時において、接続配線パターン２５を流れる電力を制御する素子である。制御素子２１は、整流器４７、充電制御器４８、および、変圧器４９を備えている。
【０１０５】
整流器４７は、充電時において、コイル部材８から送電される交流を直流に変換する素子（ＡＣ／ＤＣコンバータ）である。整流器４７は、制御回路ベース部３０の下面に配置されており、底面視において、制御回路ベース部３０の右側に配置されている。整流器４７は、第１接続配線５０、第２接続配線５１、第３接続配線５２および第５接続配線５４と電気的に接続する。
【０１０６】
充電制御器４８は、充電時において、整流器４７で直流に変換された電力を制御して、電池側回路正極端子２２に送電する素子である。充電制御器４８は、必要に応じて、二次電池２の充電状態などをモニタして通信の信号を生成して、送電装置８１（後述）に送信する通信機能を備えている。充電制御器４８は、制御回路ベース部３０の下面に配置されており、底面視において、制御回路ベース部３０の略中央に配置されている。充電制御器４８は、第３接続配線５２および第４接続配線５３と電気的に接続する。
【０１０７】
変圧器４９は、放電時において、二次電池２からの電圧を調整するための素子である。変圧器４９は、制御回路ベース部３０の下面に配置されており、底面視において、制御回路ベース部３０の後側に配置されている。変圧器４９は、第６接続配線５５、第７接続配線５６および第１０接続配線５９と電気的に接続する。
【０１０８】
第３カバー絶縁層２６は、図８Ａが参照されるように、接続配線パターン２５に対応して、第２ベース絶縁層２０の上側に配置されている。具体的には、第３カバー絶縁層２６は、接続配線パターン２５およびビア部（３６〜４６）を被覆し、電池側回路正極端子２２、外部側回路正極端子２３および充電用回路負極端子２４の上面を露出するように、第２ベース絶縁層２０の上面に配置されている。
【０１０９】
第３カバー絶縁層２６を形成する材料および厚みは、第１ベース絶縁層１０の材料および厚みと同様である。
【０１１０】
このようなコイル付き基板３は、例えば、コイル部材８と、制御素子２１を除く回路基板９とを一体的に製造し、次いで、制御素子２１を回路基板９に実装することにより製造することができる。
【０１１１】
具体的には、サブトラクティブ法またはアディティブ法によって、ベース絶縁層（１０、２０）の上面に、第１コイルパターン１１、接続配線パターン２５、電池側回路正極端子２２、外部側回路正極端子２３、および、充電用回路負極端子２４を形成し、ベース絶縁層の下面に、第２コイルパターン１２および接続配線パターン２５を形成する。この際、第１〜第３折返し固定部（６１、６３、６５）も、これらと同時に、ベース絶縁層の上面および下面に形成する。また、ビア部（１６、３６〜４６）も同時に形成する。
【０１１２】
次いで、第１コイルパターン１１を被覆するように、第１コイルカバー絶縁層１３を第１ベース絶縁層１０の上面に形成する。第２コイルパターン１２を被覆するように、第２コイルカバー絶縁層１４を第２ベース絶縁層２０の下面に形成する。また、接続配線パターン２５およびビア部３６〜４６を被覆し、電池側回路正極端子２２、外部側回路正極端子２３、および、充電用回路負極端子２４を露出するように、第３カバー絶縁層２６を形成する。
【０１１３】
次いで、制御回路ベース部３０の下面において、制御素子２１（整流器４７、充電制御器４８および変圧器４９）を、対応するベースビア部３６〜４５に、はんだなどを介して実装する。
【０１１４】
回路基板９において、制御回路ベース部３０と、その上面および下面に配置される制御素子２１、電池側回路正極端子２２、接続配線パターン２５および第３カバー絶縁層２６とを、制御回路部６６とする。負極端子ベース部３１と、その上面に配置される充電用回路負極端子２４、接続配線パターン２５および第３カバー絶縁層２６とを、負極端子部６７とする。正極端子ベース部３２と、その上面に配置される外部側回路正極端子２３、接続配線パターン２５および第３カバー絶縁層２６とを、正極端子部６８とする。
【０１１５】
（磁性シート）
図５に示すように、磁性シート４は、平面視略円形状の平板形状を有し、平面視において、コイル部材８と略同一の大きさおよび形状に形成されている。
【０１１６】
磁性シート４は、磁性体を含有するシートであり、例えば、磁性体粒子含有樹脂シート、磁性体焼結シートなどが挙げられる。
【０１１７】
磁性体粒子含有樹脂シートは、磁性体粒子および樹脂成分を含有する組成物からシート状に形成されている。
【０１１８】
磁性体粒子を構成する磁性体としては、例えば、軟磁性体、硬磁性体などが挙げられ、好ましくは、軟磁性体が挙げられる。軟磁性体としては、例えば、磁性ステンレス（Ｆｅ−Ｃｒ−Ａｌ−Ｓｉ合金）、センダスト（Ｆｅ−Ｓｉ−Ａｌ合金）、パーマロイ（Ｆｅ−Ｎｉ合金）、ケイ素銅（Ｆｅ−Ｃｕ−Ｓｉ合金）、Ｆｅ−Ｓｉ合金、Ｆｅ−Ｓｉ―Ｂ（−Ｃｕ−Ｎｂ）合金、Ｆｅ−Ｓｉ−Ｃｒ−Ｎｉ合金、Ｆｅ−Ｓｉ−Ｃｒ合金、Ｆｅ−Ｓｉ−Ａｌ−Ｎｉ−Ｃｒ合金、フェライトなどが挙げられる。
【０１１９】
樹脂成分としては、例えば、ブタジエンゴム、スチレン−ブタジエンゴム、イソプレンゴム、アクリロニトリルゴム、ポリアクリル酸エステル、エチレン−酢酸ビニル共重合体、スチレンアクリレート共重合体などのゴム質重合体が挙げられる。また、上記以外にも、樹脂成分としては、例えば、エポキシ樹脂、フェノール樹脂、メラミン樹脂、ユリア樹脂などの熱硬化性樹脂、例えば、ポリオレフィン、ポリ酢酸ビニル、ポリ塩化ビニル、ポリスチレン、ポリアミド、ポリカーボネート、ポリエチレンテレフタレートなどの熱可塑性樹脂などが挙げられる。
【０１２０】
磁性体焼結シートは、上記した磁性体を焼結してシート状に形成したものであり、例えば、フェライトシートなどが挙げられる。
【０１２１】
磁性シート４の厚みは、例えば、１０μｍ以上、好ましくは、５０μｍ以上であり、また、例えば、５００μｍ以下、好ましくは、３００μｍ以下である。
【０１２２】
（筐体）
図４Ａ〜図４Ｃおよび図１が示すように、筐体５は、上下方向に延びる略円筒形状を有し、蓋部７０および本体部７１を備えている。
【０１２３】
蓋部７０は、円板形状を有している。蓋部７０には、第１開口部としての上面開口部７２と、第２開口部としての上面切欠部７３とが形成されている。
【０１２４】
上面開口部７２は、平面視略中央において、平面視略円形状に形成されている。上面開口部７２は、二次電池２、コイル付き基板３および磁性シート４を筐体５に収容した際に、電池負極端子６の上面が露出するように形成されている。
【０１２５】
上面切欠部７３は、上面開口部７２の前側において、円弧状に切り欠かれるように形成されている。上面開口部７２は、二次電池２、コイル付き基板３および磁性シート４を筐体５に収容した際に、負極端子部６７を収容するように形成されている。すなわち、上面切欠部７３は、上下方向に投影したときに、負極端子部６７を含むように形成されている。
【０１２６】
本体部７１は、底面７４を有し、上方を開放する有底円筒形状を有している。本体部７１は、その上端縁が蓋部７０と嵌合するように形成されている。
【０１２７】
本体部７１の前側側面には、溝部７５が形成されている。溝部７５は、二次電池２、コイル付き基板３および磁性シート４を筐体５に収容した際に、第１ジョイントベース部３３を収容するように形成されている。すなわち、溝部７５は、本体部７１の前側の下端縁から上端縁まで、上下方向に延びる側面視略矩形状に形成されている。
【０１２８】
本体部７１の底面７４には、底面開口部７６が形成されている。底面開口部７６は、底面７４の底面視略中央に、平面視円形状に形成されている。底面開口部７６は、二次電池２、コイル付き基板３および磁性シート４を筐体５に収容した際に、外部側回路正極端子２３が露出するように形成されている。
【０１２９】
（電池パック）
次いで、電池パック１の組み立てについて説明する。
【０１３０】
図２Ａに示すコイル付き基板３を、筐体５に収容可能なように、図５に示すように、折り曲げる。
【０１３１】
具体的には、図２Ａに示すコイル付き基板３において、第１ジョイントベース部３３の２つの第１折り曲げ部６０をそれぞれ上側に直角（谷折り）となるように折り曲げて、負極端子ベース部３１を制御回路ベース部３０の上方に配置する。また、第３ジョイントベース部３５の２つの第３折り曲げ部６４をそれぞれ下側に直角（山折り）となるように折り曲げて、コイル部材８を制御回路ベース部３０の下方に配置する。次いで、第２ジョイントベース部３４の２つの第２折り曲げ部６２をそれぞれ下側に直角（山折り）となるように折り曲げて、正極端子ベース部３２を制御回路ベース部３０およびコイル部材８の下方に配置する。
【０１３２】
これにより、図５に示すように、正極端子部６８、コイル部材８、制御回路部６６および負極端子部６７が、下側から順に、互いに間隔を隔てて配置された折り曲げ回路６９が得られる。
【０１３３】
折り曲げ回路６９において、正極端子部６８の外部側回路正極端子２３、コイル部材８の第１コイルパターン１１、制御回路部６６の制御素子２１、および、負極端子部６７の充電用回路負極端子２４は、下側を向くように配置される。また、コイル部材８の第２コイルパターン１２、ならびに、制御回路部６６の接続配線パターン２５および電池側回路正極端子２２は、上側を向くように配置される。
【０１３４】
正極端子部６８、コイル部材８、制御回路部６６および負極端子部６７は、それぞれ、面方向に平行に並ぶように配置され、第１ジョイントベース部３３、第２ジョイントベース部３４および第３ジョイントベース部３５は、上下方向に延びるように配置される。また、各折り曲げ部（６０、６２、６４）では、図８Ｂに参照されるように、各折り曲げ固定部（６１、６３、６５）が内側になるように配置される。
【０１３５】
次いで、二次電池２を、図５に示すように、制御回路部６６および負極端子部６７の間に配置する。
【０１３６】
この際、二次電池２を、電池負極端子６が上側に、電池正極端子７が下側となるように配置する。具体的には、充電用回路負極端子２４が電池負極端子６と接触し、電池側回路正極端子２２が電池正極端子７と接触するように、二次電池２を制御回路部６６および負極端子部６７の間に配置する。
【０１３７】
また、磁性シート４を、コイル部材８および制御回路部６６の間に配置する。
【０１３８】
次いで、二次電池２および磁性シート４が配置された折り曲げ回路６９を、本体部７１に収容する。
【０１３９】
この際、本体部７１の溝部７５に第１ジョイントベース部３３が収容されるように、折り曲げ回路６９を本体部７１に収容する。
【０１４０】
次いで、本体部７１に蓋部７０を装着し、これらを固定する。
【０１４１】
この際、負極端子部６７が蓋部７０の上面切欠部７３に前後方向に収容されるように、蓋部７０を本体部７１に配置する。
【０１４２】
これにより、図１および図６Ａ〜図７Ｂに示すように、電池パック１が得られる。
【０１４３】
電池パック１は、筐体５の内部に、二次電池２、コイル付き基板３および磁性シート４が収容されている。具体的には、筐体５の内部において、正極端子部６８、コイル部材８、磁性シート４、制御回路部６６、二次電池２、および、負極端子部６７が、下から順に配置されている。
【０１４４】
正極端子部６８は、外部側回路正極端子２３が下側に位置するように配置されている。また、正極端子部６８の下面は、筐体５の底面７４の上面と接触している。
【０１４５】
コイル部材８は、第１コイルパターン１１が下側に位置し、第２コイルパターン１２が上側に位置するように、配置されている。
【０１４６】
制御回路部６６は、制御素子２１が下側に位置し、電池側回路正極端子２２および接続配線パターン２５が上側に位置するように、配置されている。
【０１４７】
負極端子部６７は、充電用回路負極端子２４が下側に位置するように、二次電池２の上側に配置されている。また、負極端子部６７は、上面開口部７２に収容されるように配置されている。すなわち、上下方向、前後方向および左右方向に投影したときに、負極端子部６７は、上面開口部７２に含まれる。また、負極端子部６７の上面は、蓋部７０の下面と接触しており、負極端子部６７の下面は、電池負極端子６の上面に接触している。すなわち、充電用回路負極端子２４は、電池負極端子６に接触している。
【０１４８】
コイル付き基板３の第１ジョイントベース部３３は、負極端子部６７および制御回路部６６の上下方向中間において、筐体５の溝部７５に収容されるように、配置されている。すなわち、上下方向、および、径方向（前後方向）に投影したときに、第１ジョイントベース部３３は、溝部７５に含まれる。また、第１ジョイントベース部３３の内側面は、二次電池２の前側周側面に接触している。
【０１４９】
第２ジョイントベース部３４は、正極端子部６８および制御回路部６６の上下方向中間において、本体部７１の後端の内側面に接触するように、配置されている。
【０１５０】
第３ジョイントベース部３５は、コイル部材８および制御回路部６６の上下方向中間において、本体部７１の右端の内側面に接触するように、配置されている。
【０１５１】
二次電池２は、制御回路部６６の上側および負極端子部６７の下側に配置されている。二次電池２の上面（電池負極端子６）は、負極端子部６７の充電用回路負極端子２４と接触し、二次電池２の下面（電池正極端子７）は、制御回路部６６の電池側回路正極端子２２と接触している。二次電池２の周側面は、本体部７１の内側面と接触している。
【０１５２】
電池パック１は、平面視において、電池負極端子６の略中央が上面開口部７２から露出し、底面視において、外部側回路正極端子２３が底面開口部７６から露出している。これにより、図７Ａの仮想線が示すように、上面開口部７２内で、外部電子機器の負極端子９６が電池負極端子６に直接接触でき、また、底面開口部７６内で、外部電子機器の正極極子９７が電池正極端子７に直接接触できる。
【０１５３】
＜無線電力伝送システム＞
次いで、図９を参照して、本発明の無線電力伝送システムの一実施形態を説明する。
【０１５４】
無線電力伝送システム８０は、電池パック１と、送電装置８１とを備えている。
【０１５５】
送電装置８１は、送電コイル８２と、発振回路８３と、外部電源接続手段８４とを備えている。
【０１５６】
送電コイル８２は、例えば、上述したコイル部材８、例えば、銅線などの線材を巻回してなる巻きコイルなどが挙げられる。
【０１５７】
発振回路８３は、例えば、１ＭＨｚ以上１０ＭＨｚ以下（好ましくは、１ＭＨｚ以上５ＭＨｚ以下）の周波数を有する電力を発生させる回路である。発振回路８３としては、例えば、ＬＣ発振回路方式、ＣＲ発振回路方式、水晶発振回路方式、スイッチング回路方式のいずれの回路であってもよい。
【０１５８】
外部電源接続手段８４は、外部電源８５に接続可能な手段であり、例えば、ＡＣアダプタ、ＵＳＢ端子などが挙げられる。
【０１５９】
コイル部材８（受電コイル）と送電コイル８２との間における磁界による電力伝送は、磁界共鳴方式および電磁誘導方式のいずれであってもよい。好ましくは、伝送距離を長くできる観点、および、コイルの位置ずれに対しても高効率な電力伝送が可能である観点から、磁界共鳴方式が挙げられる。
【０１６０】
＜充放電メカニズム＞
（充電時）
外部電源８５により発振回路８３に供給された電力は、例えば１ＭＨｚ以上１０ＭＨｚ以下の周波数の電力に変換され、その周波数の電力によって、送電コイル８２から磁界が発生する。送電コイル８２によって発生された磁界によって、コイル部材８（受電コイル）は、その周波数の電力を受電する。
【０１６１】
受電された電力は、制御素子２１によって、直流に変換および所定以下の電圧に制御され、二次電池２に給電される。すなわち、コイル部材８に、１ＭＨｚ以上１０ＭＨｚ以上の交流が発生し、その交流が、第１接続配線５０および第２接続配線５１を経由して、整流器４７によって直流に変換される。そして、その直流は、第３接続配線５２を経由して、充電制御器４８に到達する。その後、充電制御器４８で制御された直流は、第４接続配線５３、および、電池側回路正極端子２２を経由して、二次電池２の電池正極端子７に到達する。一方、負極側では、二次電池２の電池負極端子６（グランド）から、充電用回路負極端子２４および第９接続配線５８を経由して、充電制御器４８に電流が到達する。
【０１６２】
これにより、二次電池２が充電される。
【０１６３】
（放電時）
二次電池２の電池正極端子７から、所定の電圧（例えば、３．７Ｖ）を有する電流が放電され、その電流が、電池側回路正極端子２２および第６接続配線５５を経由して、変圧器４９に到達する。そして、所定の電圧の電流が、変圧器４９によって、所望の電圧（例えば、１．２Ｖ）に変圧される。その後、その変圧された電流は、第７接続配線５６および外部側回路正極端子２３を経由して、外部電子機器（例えば、後述する補聴器９０）の正極端子（例えば、後述する外部機器正極端子９７）に到達する。一方、負極側では、二次電池２の電池負極端子６は、外部電子機器の負極端子（例えば、後述する外部機器負極端子９６）に直接接触しているため、外部電子機器から、電池負極端子６（グランド）に電流が直接到達し、次いで、充電用回路負極端子２４および第１０接続配線５９を経由して、変圧器４９に電流が到達する。
【０１６４】
これにより、二次電池２が放電し、外部電子機器を駆動させる。
【０１６５】
（用途）
このような電池パック１および無線電力伝送システム８０は、従来の二次電池および一次電池を用いる電子機器に幅広く使用することができる。そのような電子機器としては、例えば、補聴器、スマートグラス、スマートウォッチなどのウェアラブル端末、例えば、スピーカー、例えば、医療機器などが挙げられる。
【０１６６】
この電池パック１は、上面に配置される電池負極端子６および下側に配置される電池正極端子を有する二次電池２と、コイル部材８と、回路基板９と、筐体５とを備え、電池負極端子６が、筐体５から露出している。
【０１６７】
そのため、外部電子機器を電池パック１に装着する際に、外部電子機器の負極端子を電池パック１内の電池負極端子６に直接接触することができ、これらを電気的に接続して、外部電子機器を駆動することができる。すなわち、電池パック１は、外部電子機器の負極端子に接触させる端子（外部側回路負極端子）を別個に設ける必要がなく、その端子分の厚み（上下方向距離）を削減することができる。よって、厚み方向において、電池パック１は、小型化されている。
【０１６８】
また、この電池パック１では、コイル部材８が、第１ベース絶縁層１０と、コイル状の配線１７とを備えるシートコイルである。
【０１６９】
そのため、巻きコイルよりも、上下方向（厚み方向）において薄型化されている。そのため、より一層の小型化を可能としている。
【０１７０】
また、この電池パック１では、回路基板９が、制御素子２１を備えるフレキシブル配線回路基板である。
【０１７１】
そのため、回路基板９を、筐体５や二次電池２の形状に合わせて筐体５内に自由に配置でき、筐体５内のスペースを有効利用できる。したがって、より一層の小型化を可能としている。
【０１７２】
また、この電池パック１は、コイル部材８と回路基板９との間に磁性シート４を備える。
【０１７３】
そのため、コイル部材８が外部から電力を受ける際に、その電力をコイル部材８に収束させることができる。そのため、電力受電効率を向上させることができる。
【０１７４】
また、この電池パック１では、筐体５が、二次電池２の上側に位置する上面開口部７２を有する。
【０１７５】
そのため、上面開口部７２を通じて、電池パック１から電池負極端子６を露出させることができる。よって、上面開口部７２内で、外部電子機器の負極端子（図７Ａの符号９６）を、電池負極端子６に確実に接触させることができる。
【０１７６】
また、この電池パック１では、回路基板９が、電池側回路正極端子２２と、充電用回路負極端子２４とを備える。
【０１７７】
そのため、電池側回路正極端子２２および充電用回路負極端子２４を介して、二次電池２を確実に充電することができる。
【０１７８】
また、この電池パック１では、蓋部７０が、二次電池２の上側に位置する上面切欠部７３を有する。
【０１７９】
そのため、上面切欠部７３内部に、充電用回路負極端子２４を収容することができる。よって、蓋部７０の上側に充電用回路負極端子２４を設ける必要がない。そのため、より一層の薄型化を可能としている。
【０１８０】
また、この電池パック１では、回路基板９が、外部側回路正極端子２３を備えており、また、筐体５が、底面開口部７６を有している。
【０１８１】
そのため、外部電子機器を電池パック１に装着する際に、底面開口部７６内で、外部電子機器の正極端子（図７Ａの符号９７参照）を電池正極端子７に直接接触することができる。これにより、これらを電気的に接続して、外部電子機器を駆動することができる。
【０１８２】
また、この電池パック１では、本体部７１が、二次電池２の側方に位置する溝部７５を有する。
【０１８３】
そのため、溝部７５内部に、第１ジョイントベース部３３を収容することができる。よって、本体部７１の内径を小さくすることができ、より一層の小型化を可能としている。また、充放電時による二次電池２の径方向の拡張に対する応力を、溝部７５で逃がすことができ、筐体５の破損を抑制することができる。
【０１８４】
また、この電池パック１では、折り曲げ部（第１折り曲げ部６０、第２折り曲げ部６２および第３折り曲げ部６４）に、折り曲げ固定部（第１折り曲げ固定部６１、第２折り曲げ固定部６３および第３折り曲げ固定部６５）が配置されている。そのため、ジョイントベース部（第１ジョイントベース部３３、第２ジョイントベース部３４、第３ジョイントベース部３５）を折り曲げ部で折り曲げた際に、折り曲げ固定部が折り曲げた形状を維持する力が働く。そのため、ジョイントベース部が元の形状に戻ることを抑制でき、コイル付き基板３の折り曲げ形状を確実に維持することができる。
【０１８５】
この無線電力伝送システム８０は、電池パック１と、送電コイル８２を備える送電装置８１とを備えている。
【０１８６】
そのため、電池パック１の二次電池２に無線で電力を伝送することができるため、二次電池２の無線充電が可能となる。
【０１８７】
また、この無線電力伝送システム８０では、送電装置８１が、１ＭＨｚ以上１０ＭＨｚ以下の周波数の電力を伝送する。
【０１８８】
そのため、電池パック１が、１ＭＨｚ以上１０ＭＨｚ以下の高周波の電力で受電することができ、二次電池２を高効率で充電することができる。
【０１８９】
＜補聴器＞  
次いで、図１０Ａおよび図１０Ｂを参照して、本発明の補聴器の一実施形態を説明する。
【０１９０】
補聴器９０は、電池パック１、補聴器筐体９１、マイク手段９２、増幅手段９３、スピーカー部９４、外部機器負極端子９６および外部機器正極端子９７を備えている。
【０１９１】
補聴器９０に用いる電池パック１に搭載する変圧器４９としては、例えば、１．２Ｖに変圧可能な変圧器を用いる。
【０１９２】
補聴器筐体９１は、筐体本体部９１Ａと、開閉機構部９１Ｂとを有する。
【０１９３】
筐体本体部９１Ａは、その内部に、マイク手段９２、増幅手段９３、スピーカー部９４、外部機器負極端子９６および外部機器正極端子９７を収容している。
【０１９４】
外部機器負極端子９６および外部機器正極端子９７は、筐体本体部９１Ａの下側において、互いに間隔を隔てて対向配置されている。外部機器負極端子９６の先端（電池パック１との接触部）と外部機器正極端子９７の先端との間隔は、電池パック１の上下方向長さ（図１参照）と略同一である。
【０１９５】
マイク手段９２、増幅手段９３およびスピーカー部９４は、補聴器筐体９１の内部に配置されており、これらは、外部機器負極端子９６および外部機器正極端子９７と電気的に接続されている。
【０１９６】
開閉機構部９１Ｂは、筐体本体部９１Ａの下端に配置されている。開閉機構部９１Ｂは、側面視弧状かつ正面視コ字状の湾曲した板部材であり、開閉機構部９１Ｂの一端（固定端部）９８は、筐体本体部９１Ａの下端において、ヒンジ部を介して、回転可能に固定されている。開閉機構部９１Ｂは、外部機器負極端子９６および外部機器正極端子９７の間の空間とともに、収容部９５を形成する。
【０１９７】
収容部９５は、電池パック１を収容可能な空間を有している。収容部９５は、電池パック１、または、市販の一次電池（好ましくは、ボタン型一次電池）を選択的に収容できるように構成されている。
【０１９８】
収容部９５は、固定端部９８を支点として開閉機構部９１Ｂを回転させることにより、補聴器筐体９１の内部に収容、または、その外部に露出される。具体的には、図１０Ａに示すように、開閉機構部９１Ｂの遊端部９９（固定端部９８とは反対側の他端）を下側に向かって移動させることにより、収容部９５は外部に露出する（開状態）。一方、図１０Ｂに示すように、遊端部９９を上側に向かって移動させることにより、収容部９５は補聴器筐体９１の内部に収容される（閉状態）。
【０１９９】
開閉機構部９１Ｂが開状態である場合では、収容部９５の上方は、開放されており、電池パック１の取り換えが可能となる。一方、開閉機構部９１Ｂが閉状態である場合では、収容部９５の内部の大きさおよび形状は、電池パック１の大きさおよび形状と略同一である。
【０２００】
電池パック１は、収容部９５に収容されている。具体的には、電池パック１は、図１０Ｂに示すように、開閉機構部９１Ｂが閉状態である場合において、外部機器負極端子９６が、上面開口部７２を通過して、電池負極端子６に接触し、外部機器正極端子９７が、底面開口部７６を通過して、外部側回路正極端子２３に接触するように、収容部９５内部に配置される。
【０２０１】
この補聴器９０は、電池パック１と、補聴器筐体９１と、マイク手段９２と、増幅手段９３と、スピーカー部９４とを備えている。そのため、補聴器９０の収容部９５が小型化されているため、補聴器９０の小型化を可能している。
【０２０２】
この補聴器９０では、収容部９５が、一次電池も収容可能とする。そのため、一次電池および二次電池のどちらを用いても駆動することができるため、利便性に優れる。  
【０２０３】
＜変形例＞
（１）図１に示す一実施形態では、電池パック１は、コイル部材８および回路基板９が一体的に形成されているコイル付き基板３を備えているが、例えば、図示しないが、コイル部材８および回路基板９は、別々の部材から構成されていてもよい。
【０２０４】
この実施形態では、コイル部材８は、回路基板９と電気的に接続するために複数（２つ）の端子を備え、回路基板９は、コイル部材８と電気的に接続するための複数（２つ）の端子を備えている。そして、これらの端子を電気的に接続して、筐体５に収容する。
【０２０５】
（２）図１に示す一実施形態では、回路基板９は、制御素子２１として、整流器４７、充電制御器４８、変圧器４９を備えているが、例えば、図示しないが、回路基板９は、整流器４７、充電制御器４８および変圧器４９のうち２つまたは３つを一つの部材としてまとめた素子（例えば、集積回路）を備えることもできる。また、その他、回路基板９は、制御素子２１として、さらに、ノイズを抑制するためのコンデンサなどのその他の素子を備えていてもよい。接続配線パターン２５およびベースビア部３６〜４５は、その制御素子２１の種類や数に応じて適宜変更される。具体的には、例えば、整流器４７、充電制御器４８および変圧器４９を一つの部材（制御素子２１）として用いた場合には、第５接続配線５４、第９接続配線５８および第１０接続配線５９を一つの接続配線として用いて、この接続配線を介して充電用回路負極端子２４および制御素子２１を電気的に接続することができる。
【０２０６】
（３）図１および図９に示す実施形態では、電池パック１および無線電力伝送システム８０は、磁性シート４を備えているが、例えば、図示しないが、電池パック１および無線電力伝送システム８０は、磁性シート４を備えなくてもよい。
【０２０７】
電力受電効率の観点から、好ましくは、電池パック１および無線電力伝送システム８０は、磁性シート４を備える。
【０２０８】
（４）図２Ａ〜図２Ｂおよび図８Ａ〜図８Ｂに示す実施形態では、各ジョイント部（３３〜３５）には、それぞれ、複数（２つ）の第１折り曲げ部６０、第２折り曲げ部６２および第３折り曲げ部６４が形成されているが、折り曲げ部（６０、６２、６４）の数は、それぞれ、１つであってもよく、また、３つ以上であってもよい。また、各折り曲げ部（６０、６２、６４）には、それぞれ、複数（２つ）の第１折り曲げ固定部６１、第２折り曲げ固定部６３および第３折り曲げ固定部６５が設けられているが、折り曲げ固定部（６１、６３、６５）の数は、それぞれ、１つであってもよく、また、３つ以上であってもよい。
【０２０９】
（５）図１および図５に示す実施形態では、電池パック１に用いられる二次電池２は、負極タブおよび正極タブを備えていないが、例えば、図１１Ａ〜図１３に示すように、二次電池２は、負極タブ１００および正極タブ１０１を備えることもできる。すなわち、二次電池２は、タブ付き電池であってもよい。
【０２１０】
図１１Ａ−Ｂに示すように、負極タブ１００は、二次電池２の上面に設けられ、薄板状を有している。負極タブ１００は、平面視略円形状の中心部１０２と、中心部１０２から径方向外側（前側）に向かって直線状に延びる延長部１０３とを一体的に備えている。負極タブ１００は、厚み方向に投影したときに、中心部１０２が電池負極端子６の中心と重複するように、二次電池２の上面に配置されている。
【０２１１】
正極タブ１０１は、二次電池２の下面に設けられ、薄板状を有している。正極タブ１０１は、平面視略円形状の中心部１０４と、中心部１０４から径方向外側（左前側）に向かって直線状に延びる延長部１０５と、延長部１０５の一端縁から下側に向かって僅かに伸びる突出部１０６とを一体的に備えている。正極タブ１０１は、突出部１０６が下側に延びるように、かつ、厚み方向に投影したときに中心部１０４が電池正極端子７の中心と重複するように、電池２の下面に配置されている。
【０２１２】
負極タブ１００および正極タブ１０１は、それぞれ、溶接などによって、二次電池２の上面および下面に固定されている。
【０２１３】
負極タブ１００および正極タブ１０１は、それぞれ、金属部材から形成されている。金属部材の材料としては、例えば、銅、銀、金、ニッケルまたはこれらの合金などの導電性金属などが挙げられる。
【０２１４】
このタブ付き二次電池において、負極タブ１００および正極タブ１０１は、それぞれ、電池負極端子および電池正極端子としての役割を果たし、それぞれ、電池負極端子６および電池正極端子７の一部である。
【０２１５】
この実施形態では、図１２に示すように、制御回路部６６には、電池側回路正極端子２２およびそれに接触する第２ベース絶縁層２０の平面視中心を厚み方向に貫通する正極端子開口部１１０が形成されている。また、負極端子部６７には、充電用回路負極端子２４およびそれに接触する第２ベース絶縁層２０の平面視中心を厚み方向に貫通する負極端子開口部１１１が形成されている。
【０２１６】
また、筐体５の蓋部７０には、図１３に示すように、上面開口部７２が形成されている。上面開口部７２は、蓋部７０の前端縁から平面視略中央に至るまでを略Ｕ字形状に切り欠くことにより形成されている。上面開口部７２は、二次電池２、コイル付き基板３および磁性シート４を筐体５に収容した際に、負極タブ１００および負極端子部６７を露出するように形成されている。すなわち、上面開口部７２は、上下方向に投影したときに、負極タブ１００および負極端子部６７を含むように形成されている。
【０２１７】
この実施形態では、電池パック１の組み立てにおいて、二次電池２およびコイル付き基板３をはんだなどの導電性接合材により電気的に接続する。具体的には、負極タブ１００の延長部１０３の上面が充電用回路負極端子２４に接触するように、かつ、正極タブ１０１の突出部１０６が正極端子開口部１１０に挿入されるように、二次電池２およびコイル付き基板３を配置する。次いで、正極端子開口部１１０および負極端子開口部１１１に、はんだなどの導電性接合材を充填する。
【０２１８】
また、この実施形態では、負極端子開口部１１１から露出する負極タブ１００において、負極タブ１００の上面の上下方向位置は、蓋部７０の上面の上下方向位置と同一、または、低くなるように、負極タブ１００または蓋部７０の厚みを調整する。
【０２１９】
この実施形態においても、図１の実施形態と同様の作用効果を奏する。
【符号の説明】
【０２２０】
１  電池パック
２  二次電池
３  コイル付き基板
４  磁性シート
５  筐体
６  電池負極端子
７  電池正極端子
８  コイル部材
９  回路基板
１０  第１ベース絶縁層
１１  第１コイルパターン
１２  第２コイルパターン
１７  配線
２１  制御素子
２２  電池側回路正極端子
２４  充電用回路負極端子
７２  上面開口部  
７３  上面切欠部  
８０  無線電力伝送システム
８１  送電装置
８２  送電コイル
９０  補聴器
９１  補聴器筐体
９２  マイク手段
９３  増幅手段
９４  スピーカー部
９５  収容部
【図１】
2018174123.tif 000003
【図２】
2018174123.tif 000004
【図３】
2018174123.tif 000005
【図４】
2018174123.tif 000006
【図５】
2018174123.tif 000007
【図６】
2018174123.tif 000008
【図７】
2018174123.tif 000009
【図８】
2018174123.tif 000010
【図９】
2018174123.tif 000011
【図１０】
2018174123.tif 000012
【図１１】
2018174123.tif 000013
【図１２】
2018174123.tif 000014
【図１３】
2018174123.tif 000015